(57)【特許請求の範囲】
【請求項１】
パイプ挿入孔と他の部材に連結される連結面とを有するとともに、前記パイプ挿入孔の内周面における、前記パイプ挿入孔の軸方向中間部から前記連結面の位置までの領域に、係合凹所が設けられたフランジを準備する工程と、
周方向に複数個のダイセグメントに分割されたエキスパンド加工用ダイを準備する工程と、
前記フランジのパイプ挿入孔内にパイプの端部を、前記パイプの端面が前記パイプ挿入孔の軸方向中間部から前記フランジの連結面の位置までの範囲に配置されるように挿入するパイプ挿入工程と、
前記パイプ挿入工程の後で、前記パイプの中空部内に配置された前記ダイの各ダイセグメントを前記パイプの半径方向外向きに移動させることにより、前記パイプの端部と、前記パイプの端部に対して前記パイプの端面側とは反対側の近傍部分とをエキスパンド加工し、これにより前記フランジを前記パイプの端部に接合するエキスパンド加工工程と、
を含み、
前記パイプの端部の断面形状は円形状であり、
前記フランジのパイプ挿入孔の断面形状は、前記パイプの端部の断面形状に対応する円形状であり、
前記係合凹所の個数は複数個であり、
前記複数個の係合凹所は、前記パイプ挿入孔の周方向に間隔をおいて設けられており、
前記パイプ挿入孔の内周面と前記係合凹所の内側面との間の角部が角張っているとともに、前記角部の断面角度が９０°以下に設定されており、
前記エキスパンド加工工程では、前記パイプの端部が前記係合凹所に前記パイプの端部の前記パイプ挿入孔からの抜出方向に係合するように且つ前記パイプ挿入孔の周方向に係合するように前記パイプの端部をエキスパンド加工することを特徴とするフランジ付パイプの製造方法。
【請求項２】
前記フランジは、前記フランジの連結面とは反対側に突出するとともに中空部を前記パイプ挿入孔とする筒状部を一体に有している請求項１記載のフランジ付パイプの製造方法。
【請求項３】
パイプ挿入孔と他の部材に連結される連結面とを有するとともに、前記パイプ挿入孔の内周面における、前記パイプ挿入孔の軸方向中間部から前記連結面の位置までの領域に、係合凹所が設けられたフランジを準備する工程と、
周方向に複数個のダイセグメントに分割されたエキスパンド加工用ダイを準備する工程と、
前記フランジのパイプ挿入孔内にパイプの端部を、前記パイプの端面が前記パイプ挿入孔の軸方向中間部から前記フランジの連結面の位置までの範囲に配置されるように挿入するパイプ挿入工程と、
前記パイプ挿入工程の後で、前記パイプの中空部内に配置された前記ダイの各ダイセグメントを前記パイプの半径方向外向きに移動させることにより、前記パイプの端部と、前記パイプの端部に対して前記パイプの端面側とは反対側の近傍部分とをエキスパンド加工し、これにより前記フランジを前記パイプの端部に接合するエキスパンド加工工程と、
を含み、
前記パイプの端部の断面形状は円形状であり、
前記フランジのパイプ挿入孔の断面形状は、前記パイプの端部の断面形状に対応する円形状であり、
前記係合凹所の個数は複数個であり、
前記複数個の係合凹所は、前記パイプ挿入孔の周方向に間隔をおいて設けられており、
前記パイプ挿入孔の内周面と前記係合凹所の内側面との間の角部が角張っているとともに、前記角部の断面角度が９０°以下に設定されており、
前記フランジは、前記フランジの連結面とは反対側に突出するとともに中空部を前記パイプ挿入孔とする筒状部を一体に有しており、
前記フランジの筒状部の軸方向中間部には、前記筒状部の厚さ方向に貫通した複数個の貫通孔が前記パイプ挿入孔の周方向に間隔をおいて設けられており、
前記各係合凹所は前記各貫通孔から形成されており、
前記エキスパンド加工工程では、前記パイプの端部が前記係合凹所に前記パイプの端部の前記パイプ挿入孔からの抜出方向に係合するように且つ前記パイプ挿入孔の周方向に係合するように前記パイプの端部をエキスパンド加工することを特徴とするフランジ付パイプの製造方法。
【請求項４】
前記エキスパンド加工工程では、前記筒状部の外側に配置された規制部材により前記筒状部の外側への膨出量を規制した状態で、前記パイプの端部をエキスパンド加工する請求項２又は３記載のフランジ付パイプの製造方法。
【請求項５】
前記各係合凹所は、前記パイプ挿入孔の内周面における、前記フランジの連結面側の部分に、前記パイプ挿入孔の内側と前記フランジの連結面側とに向けて開口した状態に設けられている請求項１又は２記載のフランジ付パイプの製造方法。
【発明の詳細な説明】
【技術分野】
【０００１】
本発明は、他の部材に連結されるフランジがパイプの端部に接合されたフランジ付パイプの製造方法、フランジ付パイプの製造装置、及びフランジ付パイプに関する。
【背景技術】
【０００２】
従来、パイプに被接合部材を接合する方法として、例えば次の方法が知られている。
【０００３】
パイプを被接合部材に設けられたパイプ挿入孔内に挿入するとともに、パイプの中空部内にエキスパンド加工用ダイを配置する。このダイは、その中心部に設けられた楔孔部を中心に周方向に複数個のダイセグメントに分割されている。次いで、マンドレルの楔部をダイの楔孔部内に差し込むことにより、ダイの各ダイセグメントをパイプの半径方向外向きに移動させる。これにより、パイプのパイプ挿入孔内への挿入部分とその軸方向両側近傍部分とをエキスパンド加工（即ち拡管加工）し、パイプに被接合部材を接合する。なお、この接合方法はリッジロック加工方法とも呼ばれている（例えば、特許文献１〜３参照）。
【０００４】
この接合方法では、パイプのパイプ挿入孔内への挿入部分の軸方向両側近傍部分は、パイプの内側からダイセグメントの２個の押圧凸部により局部的にパイプの外側へ押圧されることで、当該両近傍部分にそれぞれ抜け止め用膨出部（拡管部）が局部的に形成される。そして、両膨出部の間に被接合部材が挟まれた状態に被接合部材がパイプに接合され、これにより被接合部材に対するパイプの抜け強度が高められている。したがって、パイプの両近傍部分をエキスパンド加工して膨出させることは、パイプの抜け強度の向上を図る点で重要である。
【特許文献１】特開平４−８８１８号公報（第２頁、第８図）
【特許文献２】特開平１１−３６８５９号公報
【特許文献３】特開平７−２２３０３０号公報（段落［0004］〜［0007］、図５〜７）
【発明の開示】
【発明が解決しようとする課題】
【０００５】
而して、上述の接合方法により、パイプの端部に被接合部材としてフランジを接合してフランジ付パイプを製造する場合には、次の難点があった。この難点について図１８及び図１９を参照して以下に説明する。
【０００６】
図１８において、（１０１）は断面円形状のパイプ、（１０５）はフランジである。また、（１２０）はエキスパンド加工用ダイ、（１２７）はエキスパンド加工用マンドレルである。ダイ（１２０）は、その中心部に設けられた楔孔部（１２３）を中心に周方向に複数個のダイセグメント（１２１）に分割されている。
【０００７】
このダイ（１２０）及びマンドレル（１２７）を用い、パイプ（１０１）の端部（１０２）をフランジ（１０５）のパイプ挿入孔（１０８）内に挿通した状態で、パイプ（１０１）の端部（１０２）の端面（１０２ｘ）側の部分（１０２ａ）と、パイプ（１０１）の端部（１０２）に対してパイプ（１０１）の端面（１０２ｘ）側とは反対側の近傍部分（１０３）とをエキスパンド加工する。これにより、パイプ（１０１）の両部分（１０２ａ）（１０３）にそれぞれ抜け止め用膨出部（拡管部）（Ｂ１）（Ｂ２）を局部的に形成し、もってパイプ（１０１）の端部（１０２）にフランジ（１０５）を固定状態に接合する。
【０００８】
この接合方法の場合、両膨出部（Ｂ１）（Ｂ２）のうちパイプ（１０１）の端面（１０２ｘ）側の部分（１０２ａ）に形成された膨出部（Ｂ１）は、フランジ（１０１）の連結面（１０５ａ）の縁部に係止されるためフランジ（１０５）の連結面（１０５ａ）よりも外側に配置される。そのため、図１９に示すように、フランジ（１０５）を他の部材（１５０）に連結させる際に、パイプ（１０１）の端部（１０２）の端面（１０２ｘ）側の部分（１０２ａ）が他の部材（１５０）に干渉してしまい、フランジ（１０５）を他の部材（１５０）に連結することができないという問題が発生する。
【０００９】
一方、この問題を解決するため、パイプ（１０１）の端部（１０２）の端面（１０２ｘ）側の部分（１０２ａ）に膨出部（Ｂ１）を形成しないことにすると、パイプ（１０１）の端部（１０２）がフランジ（１０５）のパイプ挿入孔（１０８）から抜出し易くなり、すなわちフランジ（１０５）に対するパイプ（１０１）の抜け強度が低下するという問題が発生する。なお図１９において、（１１５）はフランジ（１０５）を他の部材（１５０）に連結する連結ボルト、（１１６）はナットである。また、（１１２）はフランジ（１０５）のボルト挿通孔、（１５１）は他の部材（１５０）に設けられたボルト挿通孔である。
【００１０】
本発明は、上述した技術背景に鑑みてなされたもので、その目的は、フランジとパイプとの接合強度が高いフランジ付パイプの製造方法、該製造方法に用いられるフランジ付パイプの製造装置、及びフランジ付パイプを提供することにある。
【課題を解決するための手段】
【００１１】
本発明は以下の手段を提供する。
【００１２】
［１］  パイプ挿入孔と他の部材に連結される連結面とを有するとともに、前記パイプ挿入孔の内周面における、前記パイプ挿入孔の軸方向中間部から前記連結面の位置までの領域に、係合凹所が設けられたフランジを準備する工程と、
周方向に複数個のダイセグメントに分割されたエキスパンド加工用ダイを準備する工程と、
前記フランジのパイプ挿入孔内にパイプの端部を、前記パイプの端面が前記パイプ挿入孔の軸方向中間部から前記フランジの連結面の位置までの範囲に配置されるように挿入するパイプ挿入工程と、
前記パイプ挿入工程の後で、前記パイプの中空部内に配置された前記ダイの各ダイセグメントを前記パイプの半径方向外向きに移動させることにより、前記パイプの端部と、前記パイプの端部に対して前記パイプの端面側とは反対側の近傍部分とをエキスパンド加工し、これにより前記フランジを前記パイプの端部に接合するエキスパンド加工工程と、
を含み、
前記エキスパンド加工工程では、前記パイプの端部が前記係合凹所に前記パイプの端部の前記パイプ挿入孔からの抜出方向に係合するように前記パイプの端部をエキスパンド加工することを特徴とするフランジ付パイプの製造方法。
【００１３】
［２］  前記係合凹所の個数は複数個であり、
前記複数個の係合凹所は、前記パイプ挿入孔の周方向に間隔をおいて設けられており、
前記エキスパンド加工工程では、前記パイプの端部が前記各係合凹所に前記パイプ挿入孔の周方向に係合するように前記パイプの端部をエキスパンド加工する前項１記載のフランジ付パイプの製造方法。
【００１４】
［３］  前記パイプ挿入孔の内周面と前記係合凹所の内側面との間の角部が角張っているとともに、前記角部の断面角度が９０°以下に設定されている前項２記載のフランジ付パイプの製造方法。
【００１５】
［４］  前記フランジは、前記フランジの連結面とは反対側に突出するとともに中空部を前記パイプ挿入孔とする筒状部を一体に有している前項２又は３記載のフランジ付パイプの製造方法。
【００１６】
［５］  前記フランジの筒状部の軸方向中間部には、前記筒状部の厚さ方向に貫通した複数個の貫通孔が前記パイプ挿入孔の周方向に間隔をおいて設けられており、
前記各係合凹所は前記各貫通孔から形成されている前項４記載のフランジ付パイプの製造方法。
【００１７】
［６］  前記エキスパンド加工工程では、前記筒状部の外側に配置された規制部材により前記筒状部の外側への膨出量を規制した状態で、前記パイプの端部をエキスパンド加工する前項４又は５記載のフランジ付パイプの製造方法。
【００１８】
［７］  前記各係合凹所は、前記パイプ挿入孔の内周面における、前記フランジの連結面側の部分に、前記パイプ挿入孔の内側と前記フランジの連結面側とに向けて開口した状態に設けられている前項２〜４のいずれかに記載のフランジ付パイプの製造方法。
【００１９】
［８］  前記係合凹所は、前記パイプ挿入孔の周方向の全周に亘って設けられており、
前記エキスパンド加工工程では、前記パイプの端部が前記係合凹所に前記パイプ挿入孔の周方向の全周に亘って係合するように前記パイプの端部をエキスパンド加工する前項１記載のフランジ付パイプの製造方法。
【００２０】
［９］  前記パイプ挿入孔の内周面と前記係合凹所の内側面との間の角部が角張っているとともに、前記角部の断面角度が９０°以下に設定されている前項８記載のフランジ付パイプの製造方法。
【００２１】
［１０］  前記フランジは、前記フランジの連結面とは反対側に突出するとともに中空部を前記パイプ挿入孔とする筒状部を一体に有している前項８又は９記載のフランジ付パイプの製造方法。
【００２２】
［１１］  前記エキスパンド加工工程では、前記筒状部の外側に配置された規制部材により前記筒状部の外側への膨出量を規制した状態で、前記パイプの端部をエキスパンド加工する前項１０記載のフランジ付パイプの製造方法。
【００２３】
［１２］  前記係合凹所は、前記パイプ挿入孔の内周面における、前記フランジの連結面側の部分に、前記パイプ挿入孔の内側と前記フランジの連結面側とに向けて開口した状態に設けられている前項８〜１０記載のフランジ付パイプの製造方法。
【００２４】
［１３］  パイプ挿入孔と他の部材に連結される連結面とを有するフランジが、前記パイプ挿入孔内にパイプの端部が挿入された状態で前記パイプの端部に接合されたフランジ付パイプの製造装置であって、
前記フランジのパイプ挿入孔の内周面における、前記パイプ挿入孔の軸方向中間部から前記連結面の位置までの領域に、係合凹所が設けられており、
前記パイプの中空部内に配置されるとともに、前記パイプの端部と、前記パイプの端部に対して前記パイプの端面側とは反対側の近傍部分とをエキスパンド加工するダイを備えており、
前記ダイは、周方向に複数個のダイセグメントに分割されるとともに、
前記ダイの複数個のダイセグメントのうち少なくとも１個のダイセグメントは、押圧凸部を有しており、
前記押圧凸部は、前記パイプの端部を前記パイプの外側へ押圧することにより、前記パイプの端部が前記係合凹所に前記パイプの端部の前記パイプ挿入孔からの抜出方向に係合するように前記パイプの端部を前記パイプの外側に膨出させるものであることを特徴とするフランジ付パイプの製造装置。
【００２５】
［１４］  前記フランジは、前記フランジの連結面とは反対側に突出するとともに中空部を前記パイプ挿入孔とする筒状部を一体に有しており、
前記筒状部の外側に配置され、エキスパンド加工時に前記筒状部の外側への膨出量を規制する規制部材を備えている前項１３記載のフランジ付パイプの製造装置。
【００２６】
［１５］  パイプ挿入孔と他の部材に連結される連結面とを有するフランジが、前記パイプ挿入孔内にパイプの端部が挿入された状態で前記パイプの端部に接合されたフランジ付パイプであって、
前記フランジのパイプ挿入孔の内周面における、前記パイプ挿入孔の軸方向中間部から前記連結面の位置までの領域に、係合凹所が設けられており、
前記フランジのパイプ挿入孔内に前記パイプの端部が、前記パイプの端面が前記パイプ挿入孔の軸方向中間部から前記フランジの連結面の位置までの範囲に配置された状態に挿入されており、
前記パイプの端部と、前記パイプの端部に対して前記パイプの端面側とは反対側の近傍部分とがエキスパンド加工されることにより、前記フランジが前記パイプの端部に接合されており、
前記パイプの端部が前記係合凹所に前記パイプの端部の前記パイプ挿入孔からの抜出方向に係合した状態に、前記パイプの端部がエキスパンド加工されていることを特徴とするフランジ付パイプ。
【００２７】
［１６］  前記係合凹所の個数は複数個であり、
前記複数個の係合凹所は、前記パイプ挿入孔の周方向に間隔をおいて設けられており、
前記パイプの端部が前記各係合凹所に前記パイプ挿入孔の周方向に係合した状態に前記パイプの端部がエキスパンド加工されている前項１５記載のフランジ付パイプ。
【００２８】
［１７］  前記パイプ挿入孔の内周面と前記係合凹所の内側面との間の角部が角張っているとともに、前記角部の断面角度が９０°以下に設定されている前項１６記載のフランジ付パイプ。
【００２９】
［１８］  前記フランジは、前記フランジの連結面とは反対側に突出するとともに中空部を前記パイプ挿入孔とする筒状部を一体に有している前項１６又は１７記載のフランジ付パイプ。
【００３０】
［１９］  前記フランジの筒状部の軸方向中間部には、前記筒状部の厚さ方向に貫通した複数個の貫通孔が前記パイプ挿入孔の周方向に間隔をおいて設けられており、
前記各係合凹所は前記各貫通孔から形成されている前項１８記載のフランジ付パイプ。
【００３１】
［２０］  前記各係合凹所は、前記パイプ挿入孔の内周面における、前記フランジの連結面側の部分に、前記パイプ挿入孔の内側と前記フランジの連結面側とに向けて開口した状態に設けられている前項１６〜１８のいずれかに記載のフランジ付パイプ。
【００３２】
［２１］  前記係合凹所は、前記パイプ挿入孔の周方向の全周に亘って設けられており、
前記パイプの端部が前記係合凹所に前記パイプ挿入孔の周方向の全周に亘って係合した状態に前記パイプの端部がエキスパンド加工されている前項１５記載のフランジ付パイプ。
【００３３】
［２２］  前記パイプ挿入孔の内周面と前記係合凹所の内側面との間の角部が角張っているとともに、前記角部の断面角度が９０°以下に設定されている前項２１記載のフランジ付パイプ。
【００３４】
［２３］  前記フランジは、前記フランジの連結面とは反対側に突出するとともに中空部を前記パイプ挿入孔とする筒状部を一体に有している前項２１又は２２記載のフランジ付パイプ。
【００３５】
［２４］  前記係合凹所は、前記パイプ挿入孔の内周面における、前記フランジの連結面側の部分に、前記パイプ挿入孔の内側と前記フランジの連結面側とに向けて開口した状態に設けられている前項２１〜２３のいずれかに記載のフランジ付パイプ。
【００３６】
ここで、上記の発明において、パイプの端部とは、パイプがフランジのパイプ挿入孔内に挿入されている部分であり、即ちパイプのパイプ挿入孔内への挿入部分である。
【発明の効果】
【００３７】
本発明は以下の効果を奏する。
【００３８】
［１］の発明に係るフランジ付パイプの製造方法によれば、エキスパンド加工工程において、パイプの端部が係合凹所にパイプの端部のパイプ挿入孔からの抜出方向に係合するようにパイプの端部をエキスパンド加工することにより、フランジに対するパイプの抜け強度を高めることができる。
【００３９】
さらに、エキスパンド加工は、フランジのパイプ挿入孔内にパイプの端部を、パイプの端面がパイプ挿入孔の軸方向中間部からフランジの連結面の位置までの範囲に配置されるように挿入した状態で、行われる。そのため、パイプの端部に接合されたフランジを他の部材に連結する際に、パイプの端部の端面側の部分が他の部材に干渉しない。これにより、フランジを他の部材に良好に連結することができる。
【００４０】
［２］の発明では、パイプの端部が各係合凹所にパイプ挿入孔の周方向に係合するようにパイプの端部をエキスパンド加工することにより、フランジに対するパイプの抜け強度の他に、更に、フランジに対するパイプの回転方向の接合強度をも高めることができる。
【００４１】
［３］の発明では、フランジのパイプ挿入孔の内周面と係合凹所の内側面との間の角部が角張っているとともに、角部の断面角度が９０°以下に設定されている。そのため、この角部によりパイプの抜け止めを図ることができ、もってフランジに対するパイプの抜け強度を更に高めることができる。
【００４２】
［４］の発明では、フランジは中空部をパイプ挿入孔とする筒状部を一体に有しているので、パイプの端部とフランジとの接触面積を増大できるし、フランジの重量増加を極力抑制することができる。これにより、パイプとフランジとの接合強度を高めることができるし、フランジ付パイプの軽量化を図ることができる。
【００４３】
［５］の発明では、各係合凹所が各貫通孔から形成されているので、各係合凹所を容易に形成することができる。
【００４４】
さらに、係合凹所を形成するための貫通孔をフランジの筒状部に例えば穿孔パンチにより穿設することにより、パイプ挿入孔の内周面と係合凹所の内側面との間の角部を角張った状態に容易に形成することができるし、この角部の断面角度を９０°に容易に設定することができる。これにより、フランジに対するパイプの抜け強度を更に高めることができる。
【００４５】
さらに、パイプの端部を各係合凹所に、パイプの端部のパイプ挿入孔からの抜出方向と、パイプの端部のパイプ挿入孔への挿入方向と、パイプ挿入孔の周方向とに係合させることができる。そのため、フランジに対するパイプの抜出方向の接合強度（即ちパイプの抜け強度）と、フランジに対するパイプの挿入方向の接合強度と、フランジに対するパイプの回転方向の接合強度とを高めることができる。
【００４６】
［６］の発明では、フランジの筒状部の外側に配置された規制部材により筒状部の外側への膨出量を規制した状態で、パイプの端部をエキスパンド加工することにより、エキスパンド加工時における筒状部の塑性変形を防止できるし、更には筒状部の破断を防止できる。これにより、エキスパンド加工時に筒状部に弾性復元力を確実に蓄積させることができ、もってフランジとパイプとの接合強度を確実に高めることができる。
【００４７】
［７］の発明では、各係合凹所を容易に形成することができる。
【００４８】
［８］の発明では、フランジに対するパイプの抜け強度を確実に高めることができる。
【００４９】
［９］の発明では、上記［３］の発明と同様の理由により、フランジに対するパイプの抜け強度を更に高めることができる。
【００５０】
［１０］の発明では、上記［４］の発明と同様の理由により、パイプとフランジとの接合強度を高めることができるし、フランジ付パイプの軽量化を図ることができる。
【００５１】
［１１］の発明では、上記［６］の発明と同様の理由により、 フランジとパイプとの接合強度を確実に高めることができる。
【００５２】
［１２］の発明では、係合凹所を容易に形成することができる。
【００５３】
［１３］及び［１４］の発明によれば、本発明に係るフランジ付パイプの製造方法に好適に用いられるフランジ付パイプの製造装置を提供できる。
【００５４】
［１５］〜［１９］の発明に係るフランジ付パイプによれば、それぞれ、フランジ付パイプを製造する際に上記［１］〜［５］の発明と同様の効果を奏しうる。
【００５５】
［２０］の発明では、フランジ付パイプを製造する際に上記［７］の発明と同様の効果を奏しうる。
【００５６】
［２１］〜［２３］の発明では、それぞれ、フランジ付パイプを製造する際に上記［８］〜［１０］の発明と同様の効果を奏しうる。
【００５７】
［２４］の発明では、フランジ付パイプを製造する際に上記［１２］の発明と同様の効果を奏しうる。
【発明を実施するための最良の形態】
【００５８】
次に、本発明の幾つかの実施形態について図面を参照して以下に説明する。
【００５９】
＜第１実施形態＞
図１〜図６は、本発明の第１実施形態に係るフランジ付パイプの製造方法及び製造装置を説明するための図である。
【００６０】
図１及び図２において、（Ａ１）は、本第１実施形態の製造装置（３０）により製造されたフランジ付パイプである。このフランジ付パイプ（Ａ１）は、パイプ（１）の端部（２）にフランジ（５）が固定状態に接合されたものである。
【００６１】
パイプ（１）は、例えば、自動車のステアリングサポートビーム、ステアリングコラムホルダ、マフラ、フレーム、プロペラシャフト、サスペンションアーム、その他の自動車の部品に用いられるものであり、あるいは配管材等に用いられるものである。ただし本発明では、パイプ（１）はこれらの用途に用いられるものであることに限定されるものではない。
【００６２】
このパイプ（１）は真直なものであり、その断面形状は円形状である。また、パイプ（１）はその軸方向（即ちその長さ方向）に延びた断面円形状の中空部（４）を有している。また、パイプ（１）の内径及び肉厚は、パイプ（１）の軸方向において一定に設定されている。
【００６３】
パイプ（１）は、弾性変形及び塑性変形可能な材料からなり、例えば金属製であり、詳述するとアルミニウム（その合金を含む）製である。ただし本発明では、パイプ（１）の材質はアルミニウムであることに限定されるものではなく、その他に、例えば、鉄、鋼（ステンレス鋼を含む）、銅等の金属であっても良いし、プラスチックであっても良い。また、パイプ（１）は、押出材又は引抜き材からなるものであっても良いし、溶接管からなるものであっても良いし、その他の方法で製作されたものであっても良い。
【００６４】
フランジ（５）は、図３に示すように、他の部材（５０）に連結されるものである。他の部材（５０）は例えば板状のものである。
【００６５】
このフランジ（５）は、弾性変形可能な材料からなり、例えば金属製であり、詳述するとアルミニウム（その合金を含む）製である。ただし本発明では、フランジ（５）の材質はアルミニウムであることに限定されるものではなく、その他に、例えば、鉄、鋼（ステンレス鋼を含む）、銅等の金属であってもよいし、プラスチックであっても良い。また、フランジ（５）は、押出材や圧延材からなるものであっても良いし、他の方法により製作されたものであっても良い。
【００６６】
このフランジ（５）は、金属板材のプレス加工品からなるものであり、中央部にパイプ挿入孔（８）が設けられた板状に形成されており、詳述すると円環板状に形成されている。このフランジ（５）はその厚さ方向両側の面のうち一方の面を、他の部材（５０）との連結面（５ａ）とするものである。この連結面（５ａ）は平坦状に形成されている。なお本実施形態では、フランジ（５）の連結面（５ａ）とは反対側の面（５ｂ）を、フランジ（５）の他面という。
【００６７】
フランジ（５）の外周縁部には、複数個のボルト挿通孔（１２）等の連結具挿通孔がパイプ挿入孔（８）を中心に周方向に等間隔に配設されている。本実施形態では、ボルト挿通孔（１２）の個数は４個である。
【００６８】
図３に示すように、フランジ（５）は、フランジ（５）の連結面（５ａ）とは反対側に突出した筒状部（７）を一体に有している。この筒状部（７）は、その中空部及び内周面をそれぞれパイプ挿入孔（８）及びその内周面（９）とするものであり、フランジ（５）にパイプ挿入孔（８）を包囲する状態に一体に屈曲形成されている。
【００６９】
フランジ（５）のパイプ挿入孔（８）は、フランジ（５）の連結面（５ａ）側とは反対側（即ちフランジ（５）の他面（５ｂ）側）に開口した開口部をパイプ挿入口（８ａ）及びパイプ抜出口とするものである。
【００７０】
フランジ（５）と筒状部（７）は、金属板材のプレス加工により互いに一体に形成されている。詳述すると、筒状部（７）は、板状のフランジ（５）のパイプ挿入孔（８）の内周縁部が筒状にプレス加工されることにより形成されたものである。
【００７１】
この筒状部（７）の軸方向中間部から先端側の部分（７ａ）は、短円筒状に形成されている。この円筒状の部分（７ａ）の中空部の断面形状、即ちパイプ挿入孔（８）の断面形状は、パイプ（１）の端部（２）の断面形状に対応する形状であり、即ち円形状である。
【００７２】
この筒状部（７）の軸方向中間部からフランジ（５）側の部分（７ｂ）は、フランジ（５）側に進むにつれて漸次拡径したテーパ状に形成されている。これにより、フランジ（５）のパイプ挿入孔（８）の内周面（９）における、フランジ（５）の連結面（５ａ）側の部分に、パイプ挿入孔（８）の内側とフランジ（５）の連結面（５ａ）側とに向けて開口した状態に係合凹所（１０）がパイプ挿入孔（８）の周方向の全周に亘って形成されている。詳述すると、係合凹所（１０）は、フランジ（５）のパイプ挿入孔（８）の内周面（９）における、パイプ挿入孔（８）の軸方向中間部からフランジ（５）の連結面（５ａ）の位置までの領域に設けられている。この係合凹所（１０）はプレス加工により形成されたものである。
【００７３】
フランジ（５）のパイプ挿入孔（８）の内周面（９）と係合凹所（１０）の内側面（１０ａ）との間の角部（１１）は、パイプ挿入孔（８）の周方向の全周に亘って丸く形成されており、即ちこの角部（１１）は断面円弧状に形成されている。さらに、この角部（１１）の断面角度θは９０°よりも大きく形成されている（即ち、θ＞９０°）。
【００７４】
パイプ（１）の長さは例えば５０〜２０００ｍｍである。パイプ（１）の内径は例えば２０〜１００ｍｍである。パイプ（１）の肉厚は例えば０．５〜５ｍｍである。
【００７５】
フランジ（５）及び筒状部（７）の肉厚は例えば１〜２０ｍｍである。フランジ（５）の外径は例えば３０〜３００ｍｍである。フランジ（５）のパイプ挿入孔（８）の直径は、エキスパンド加工前のパイプ（１）の端部（２）の外径よりも例えば０．１〜１ｍｍ大きく設定されている。
【００７６】
ただし本発明では、パイプ（１）及びフランジ（５）の各部位の寸法は、上記の範囲であることに限定されるものではなく、パイプ付フランジ（Ａ１）の使用目的や用途に応じて適宜設定されるものである。
【００７７】
ここで以下では、説明の便宜上、パイプ（１）の端部（２）における端面（２ｘ）側の部分（２ａ）を、「パイプ（１）の端部（２）の端面部（２ａ）」という。
【００７８】
本第１実施形態のフランジ付パイプ（Ａ１）では、図３に示すように、パイプ（１）の端部（２）がフランジ（５）のパイプ挿入孔（８）内に、パイプ挿入口（８ａ）から、パイプ（１）の端面（２ｘ）がパイプ挿入孔（８）の軸方向中間部からフランジ（５）の連結面（５ａ）の位置までの範囲に配置されるように挿入されている。そして、パイプ（１）の端部（２）の端面部（２ａ）がその全周に亘ってパイプ挿入孔（８）の係合凹所（１０）内へ膨出した状態にパイプ（１）の端部（２）がエキスパンド加工（即ち拡管加工）されている。これにより、パイプ（１）の端部（２）が係合凹所（１０）にパイプ挿入孔（８）の周方向の全周に亘ってパイプ（１）の端部（２）のパイプ挿入孔（８）からの抜出方向（Ｘ１）に係合している。さらに、パイプ（１）の端部（２）に対してパイプ（１）の端面（２ｘ）側とは反対側の近傍部分（３）がその全周に亘ってエキスパンド加工（即ち拡管加工）されている。
【００７９】
すなわち、パイプ（１）の端部（２）の端面部（２ａ）には、エキスパンド加工によってパイプ（１）の外側に局部的に膨出した抜け止め用第１膨出部（拡管部）（Ｂ１）がパイプ（１）の全周に亘って形成されている。そして、この第１膨出部（Ｂ１）が係合凹所（１０）内に配置されることにより、この第１膨出部（Ｂ１）が係合凹所（１０）に上述した１方向（即ち、抜出方向（Ｘ１））に係合している。一方、この第１膨出部（Ｂ１）は係合凹所（１０）にパイプ挿入孔（８）の周方向（Ｙ）には係合していない（図１参照）。
【００８０】
また、パイプ（１）の端部（２）の近傍部分（３）には、エキスパンド加工によってパイプ（１）の外側に局部的に膨出した抜け止め用第２膨出部（Ｂ２）がパイプ（１）の全周に亘って形成されている。そして、この第２膨出部（Ｂ２）がフランジ（５）の筒状部（７）の先端にパイプ（１）の端部（２）のパイプ挿入孔（８）への挿入方向（Ｘ２）に係合（係止）している。
【００８１】
図３に示したフランジ付パイプ（Ａ１）では、フランジ（５）の連結具挿入孔（ボルト挿通孔（１２））と他の部材（５０）の連結具挿通孔（ボルト挿通孔（５１））とに、連結具として連結ボルト（１５）が順次挿通されるとともに、この連結ボルト（１５）にナット（１６）が螺合されることにより、フランジ付パイプ（Ａ１）が他の部材（５０）に固定状態に連結されている。この状態において、フランジ（５）の連結面（５ａ）は他の部材（５０）に面接触状態に当接しており、さらに、パイプ（１）の端面（２ｘ）は、フランジ（５）の連結面（５ａ）の位置よりも外側に配置されていないので、他の部材（５０）には当接していない。なお本発明では、連結具は連結ボルト（５１）であることに限定されるものではなく、その他に例えば締結リベットであっても良い。
【００８２】
次に、本第１実施形態のフランジ付パイプ（Ａ１）の製造装置（３０）について、図４〜図６を参照して以下に説明する。
【００８３】
この製造装置（３０）は、エキスパンド加工用ダイ（２０）、エキスパンド加工用マンドレル（２７）、規制部材（２８）等を備えている。
【００８４】
図４に示すように、ダイ（２０）は、例えば工具鋼又は超硬合金製であって円柱状のものである。さらに、ダイ（２０）の軸方向一端部には該ダイ（２０）を片持ち状に支持する円板状又は円柱状の支持部（２４）が一体形成されている。この支持部（２４）は、ダイ（２０）よりも径大に形成されている。
【００８５】
ダイ（２０）の中心部には楔孔部（２３）がダイ（２０）及び支持部（２４）の軸方向に貫通して設けられている。楔孔部（２３）は、円錐状又は多角錐状であり、本実施形態では多角錐状であり、詳述すると正八角錐状である。したがって、楔孔部（２３）の断面形状は八角形状である。
【００８６】
さらに、ダイ（２０）は、楔孔部（２３）を中心に周方向に複数個のダイセグメント（２１）に均等に分割されており、これに伴い支持部（２４）も楔孔部（２３）を中心に周方向に複数個の支持部セグメント（２５）に均等に分割されている。本実施形態では、ダイ（２０）及び支持部（２４）の分割数は８個である。また、ダイセグメント（２１）と支持部セグメント（２５）とは互いに一体形成されている。
【００８７】
マンドレル（２７）は、ダイ（２０）の楔孔部（２３）に対応する楔部（２７ａ）を有している。この楔部（２７ａ）はマンドレル（２７）の先端部に先細り状に一体形成されている。楔部（２７ａ）は円錐状又は多角錐状であり、本実施形態では正八角錐状であり。楔部（２７ａ）は例えば工具鋼又は超硬合金製である。楔部（２７ａ）のテーパ角は、ダイ（２０）の楔孔部（２３）のテーパ角と等しく設定されており、例えば１〜３０°に設定されている。ただし本発明では、楔部（２７ａ）や楔孔部（２３）のテーパ角は上記の範囲であることに限定されるものではない。
【００８８】
マンドレル（２７）の他端部には、マンドレル（２７）の楔部（２７ａ）をダイ（２０）の楔孔部（２３）内に差し込む方向にマンドレル（２７）を移動させるマンドレル駆動手段（図示せず）が接続されている。このマンドレル駆動手段として例えば油圧シリンダが用いられる。
【００８９】
マンドレル（２７）は、図５及び図６に示すように、パイプ（１）の端部（２）の中空部（４）内に配置されたダイ（２０）の楔孔部（２３）内にマンドレル（２７）の楔部（２７ａ）が差し込まれることにより、ダイ（２０）の各ダイセグメント（２１）をパイプ（１）の半径方向外向きに移動させるものである。
【００９０】
ダイ（２０）の各ダイセグメント（２１）は、マンドレル（２７）の楔部（２７ａ）によってパイプ（１）の半径方向外向きに移動されることにより、パイプ（１）の端部（２）及び近傍部分（３）をエキスパンド加工するものである。これらのダイセグメント（２１）は互いに同一形状で同一構成である。
【００９１】
各ダイセグメント（２１）は、ダイ（２０）の軸方向に互いに離間した第１押圧凸部（２２ａ）及び第２押圧凸部（２２ｂ）を一体に有している。第１押圧凸部（２２ａ）及び第２押圧凸部（２２ｂ）は、ともに断面円弧状であって、ダイセグメント（２１）の外周面（即ちダイグメント（２１）のパイプ（１）側に向いた外面）に一体に形成されている。
【００９２】
第１押圧凸部（２２ａ）及び第２押圧凸部（２２ｂ）の突出高さはそれぞれ例えば０．５〜１０ｍｍである。第１押圧凸部（２２ａ）及び第２押圧凸部（２２ｂ）の幅はそれぞれ例えば２〜２０ｍｍである。ただし本発明では、突出高さ及び幅は上記の範囲であることに限定されるものではない。
【００９３】
第１押圧凸部（２２ａ）は、パイプ（１）の端部（２）の端面部（２ａ）をパイプ（１）の内側からパイプ（１）の外側へ局部的に押圧することにより、パイプ（１）の端部（２）の端面部（２ａ）が係合凹所（１０）に係合するようにパイプ（１）の端部（２）の端面部（２ａ）をパイプ（１）の外側に局部的に膨出させるものである。
【００９４】
第２押圧凸部（２２ｂ）は、パイプ（１）の端部（２）の近傍部分（３）をパイプ（１）の内側からパイプ（１）の外側へ局部的に押圧することにより、パイプ（１）の端部（２）の近傍部分（３）をパイプ（１）の外側に局部的に膨出させるものである。
【００９５】
規制部材（２８）は、図５及び図６に示すように、フランジ（５）の筒状部（７）の外側に筒状部（７）をその全周に亘って包囲する状態に配置され、エキスパンド加工時に筒状部（７）の外側への膨出量を筒状部（７）の全周に亘って所定量に規制するものである。
【００９６】
この規制部材（２８）は、エキスパンド加工時に規制部材（２８）に荷重が加わった場合に規制部材（２８）が変形しないような強度を有しており、例えば工具鋼製である。
【００９７】
次に、本第１実施形態の製造装置（３０）を用いてフランジ付パイプ（Ａ１）を製造する方法について以下に説明する。
【００９８】
まず、上記フランジ（５）を準備する［フランジ準備工程］。また、上記エキスパンド加工用ダイ（２０）を備えた製造装置（３０）を準備する［ダイ準備工程］。
【００９９】
次いで、図５に示すように、パイプ（１）の端部（２）をフランジ（５）のパイプ挿入孔（８）内に、パイプ挿入口（８ａ）から、パイプ（１）の端面（２ｘ）がパイプ挿入孔（８）の軸方向中間部からフランジ（５）の連結面（５ａ）の位置までの範囲に配置されるように挿入する。この工程を「パイプ挿入工程」という。本実施形態では、パイプ（１）の端面（２ｘ）はフランジ（５）の連結面（５ａ）の位置の近傍に配置されている。
【０１００】
また、パイプ（１）の端部（２）の中空部（４）内にダイ（２０）をパイプ（１）の端部開口から挿入配置する。また、規制部材（２８）をフランジ（５）の筒状部（７）の外側に、筒状部（７）をその全周に亘って包囲する状態に、且つ、規制部材（２８）と筒状部（７）との間に隙間（２９）が筒状部（７）の外側の全周に亘って形成された状態に配置する。この隙間（２９）は、エキスパンド加工時に膨出される筒状部（７）の膨出量に対応するものであり、例えば０．１〜１ｍｍに設定される。ただし本発明では、隙間（２９）は上記の範囲であることに限定されるものではない。
【０１０１】
次いで、マンドレル駆動手段によってマンドレル（２７）の楔部（２７ａ）をダイ（２０）の楔孔部（２３）内に強制的に差し込む。これにより、図６に示すように、ダイ（２０）の各ダイセグメント（２１）をパイプ（１）の半径方向外向きに移動させて、パイプ（１）の端部（２）及び近傍部分（３）を同時にエキスパンド加工する。この工程を「エキスパンド加工工程」という。
【０１０２】
このエキスパンド加工によって、パイプ（１）の端部（２）がパイプ（１）の外側へ膨出するように塑性変形されてパイプ挿入孔（８）の内周面（９）に圧接され、更に、この圧接力を受けてフランジ（５）の筒状部（７）が外側に膨出するように弾性変形される。このように筒状部（７）が弾性変形されることに伴い、筒状部（７）に弾性復元力（スプリングバック力）が蓄積される。そして、筒状部（７）が規制部材（２８）に衝合することにより、筒状部（７）の外側への膨出量が規制される。これにより、筒状部（７）が塑性変形するのが防止されるし、筒状部（７）の破断も防止される。
【０１０３】
さらに、このエキスパンド加工工程の際に、パイプ（１）の端部（２）の端面部（２ａ）は、ダイ（２０）の各ダイセグメント（２１）の第１押圧凸部（２２ａ）によってパイプ（１）の外側（即ち係合凹所（１０）内）へ膨出するように局部的に押圧されることで、その全周に亘って塑性変形される。これにより、この端面部（２ａ）にその全周に亘って断面略円弧状の第１膨出部（Ｂ１）が形成されるとともに、この第１膨出部（Ｂ１）が係合凹所（１０）にパイプ挿入孔（８）の周方向の全周に亘ってパイプ（１）の端部（２）のパイプ挿入孔（８）からの抜出方向（Ｘ１）に係合される。
【０１０４】
さらに、このエキスパンド加工工程の際に、パイプ（１）の端部（２）の近傍部分（３）は、ダイ（２０）の各ダイセグメント（２１）の第２押圧凸部（２２ｂ）によってパイプ（１）の外側へ膨出するように押圧されることで、その全周に亘って塑性変形される。これにより、この近傍部分（３）にその全周に亘って断面略円弧状の第２膨出部（Ｂ２）が形成されるとともに、この第２膨出部（Ｂ２）が筒状部（７）の先端にパイプ（１）の端部（２）のパイプ挿入孔（８）への挿入方向（Ｘ２）に係合される。
【０１０５】
次いで、マンドレル（２７）の楔部（２７ａ）をダイ（２０）の楔孔部（２３）から抜出する。すると、フランジ（５）の筒状部（７）に蓄積されていた弾性復元力によりパイプ挿入孔（８）の内周面（９）がパイプ（１）の端部（２）の外周面に圧接固定される。これにより、フランジ（５）がパイプ（１）の端部（２）に固定状態に接合される。次いで、ダイ（２０）をパイプ（１）の中空部（４）から抜出する。
【０１０６】
以上の手順により図１及び図２に示したフランジ付パイプ（Ａ１）が製造される。
【０１０７】
而して、本第１実施形態のフランジ付パイプ（Ａ１）の製造方法には次の利点がある。
【０１０８】
エキスパンド加工工程において、パイプ（１）の端部（２）がパイプ挿入孔（８）の内周面（９）の係合凹所（１０）にパイプ（１）の端部（２）のパイプ挿入孔（８）からの抜出方向（Ｘ１）に係合するようにパイプ（１）の端部（２）をエキスパンド加工することにより、フランジ（５）に対するパイプ（１）の抜け強度を高めることができる。
【０１０９】
さらに、エキスパンド加工は、フランジ（５）のパイプ挿入孔（８）内にパイプ（１）の端部（２）を、パイプ（１）の端面（２ｘ）がパイプ挿入孔（８）の軸方向中間部からフランジ（５）の連結面（５ａ）の位置までの範囲に配置されるように挿入した状態で、行われる。そのため、図３に示すように、パイプ（１）の端部（２）に接合されたフランジ（５）を他の部材（５０）に連結する際に、パイプ（１）の端部（２）の端面部（２ａ）が他の部材（５０）に干渉しない。これにより、フランジ（５）を他の部材（５０）に良好に連結することができる。
【０１１０】
さらに、係合凹所（１０）は、パイプ挿入孔（８）の周方向の全周に亘って設けられており、パイプ（１）の端部（２）が係合凹所（１０）にパイプ挿入孔（８）の周方向の全周に亘って係合するようにパイプ（１）の端部（２）をエキスパンド加工するので、フランジ（５）に対するパイプ（１）の抜け強度を確実に高めることができる。
【０１１１】
さらに、係合凹所（１０）は、パイプ挿入孔（８）の内周面（９）における、フランジ（５）の連結面（５ａ）側の部分に、パイプ挿入孔（８）の内側とフランジ（５）の連結面（５ａ）側とに向けて開口した状態に設けられているので、係合凹所（１０）を容易に形成することができる。
【０１１２】
さらに、フランジ（５）は、中空部をパイプ挿入孔（８）とする筒状部（７）を一体に有しているので、パイプ（１）の端部（２）とフランジ（５）との接触面積を増大できるし、フランジ（５）の重量増加を極力抑制することができる。これにより、パイプ（１）とフランジ（５）との接合強度を高めることができるし、フランジ付パイプ（Ａ１）の軽量化を図ることができる。
【０１１３】
もとより、フランジ（５）と筒状部（７）は、金属板材のプレス加工により一体に形成されたものであるから、筒状部（７）付フランジ（５）を低コストで且つ容易に製作することができる。
【０１１４】
また、フランジ（５）のパイプ挿入孔（８）内にパイプ（１）の端部（２）を挿入し、且つ筒状部（７）の外側に配置された規制部材（２８）により筒状部（７）の外側への膨出量を規制した状態で、パイプ（１）の端部（２）をエキスパンド加工することにより、エキスパンド加工時における筒状部（７）の塑性変形を防止できるし、更には筒状部（７）の破断を防止できる。これにより、筒状部（７）に弾性復元力を確実に蓄積させることができ、もってフランジ（５）とパイプ（１）の端部（２）との接合強度を確実に高めることができる。
【０１１５】
＜第２実施形態＞
図７〜図１１は、本発明の第２実施形態に係るフランジ付パイプ（Ａ２）の製造方法及び製造装置（３０）を説明するための図である。この製造方法及び製造装置（３０）について上記第１実施形態とは異なる点を中心に以下に説明する。
【０１１６】
図７において、（Ａ２）は、本第２実施形態の製造装置（３０）により製造されたフランジ付パイプである。このフランジ付パイプ（Ａ２）において、図７及び図８に示すように、フランジ（５）と筒状部（７）は、金属板材のプレス加工により一体に形成されたものである。
【０１１７】
フランジ（５）の筒状部（７）は、その軸方向の全長さ領域に亘って円筒状に形成されている。そのため、パイプ挿入孔（８）の内周面（９）における、フランジ（５）の連結面（５ａ）側の部分には係合凹所は形成されていない。
【０１１８】
一方、フランジ（５）の筒状部（７）の軸方向中間部には、筒状部（７）の厚さ方向（即ち筒状部（７）の半径方向）に貫通した複数個の貫通孔（７ｃ）がパイプ挿入孔（８）の周方向に等間隔に設けられている。本実施形態では、貫通孔（７ｃ）の個数は４個である。各貫通孔（７ｃ）はパイプ挿入孔（８）の周方向に延びた長孔状である。この貫通孔（７ｃ）は、筒状部（７）の軸方向中間部に穿孔パンチ（図示せず）により穿設されたものである。こうして各貫通孔（７ｃ）が筒状部（７）の軸方向中間部に形成されることにより、フランジ（５）のパイプ挿入孔（８）の内周面（９）における、パイプ挿入孔（８）の軸方向中間部に、複数個の係合凹所（１０）がパイプ挿入孔（８）の周方向に等間隔に形成されている。このように各係合凹所（１０）は各貫通孔（７ｃ）から形成されている。
【０１１９】
フランジ（５）のパイプ挿入孔（８）の内周面（９）と各係合凹所（１０）の内側面（１０ａ）との間の角部（１１）には、係合凹所（１０）の全周に亘って面取り加工が施されていない。そのため、この角部（１１）は角張っている。詳述すると、この角部（１１）には面取り加工は施されておらず、そのため角部（１１）のＣは０〜０．５ｍｍの範囲である。この範囲であることにより、角部（１１）が角張っている。なお、角部（１１）のＣとは、仮に角部（１１）にＣ面取り加工を施す場合における面取りの大きさＣの意味である。さらに、この角部（１１）の断面角度θは９０°に設定されている（即ち、θ＝９０°）。なお本発明では、この角部（１１）の断面角度は９０°であることに限定されるものではなく、９０°以下であることが望ましく、例えば８０〜９０°の範囲であることが特に望ましい。
【０１２０】
そして、このフランジ付パイプ（Ａ２）では、パイプ（１）の端部（２）がフランジ（５）のパイプ挿入孔（８）内に、パイプ挿入口（８ａ）から、パイプ（１）の端面（２ｘ）がパイプ挿入孔（８）の軸方向中間部からフランジ（５）の連結面（５ａ）の位置までの範囲に配置されるように挿入されている。そして、パイプ（１）の端部（２）の軸方向中間部（２ｂ）が各係合凹所（１０）内へ膨出した状態にパイプ（１）の端部（２）がエキスパンド加工されており、これにより、パイプ（１）の端部（２）が各係合凹所（１０）に、パイプ（１）の端部（２）のパイプ挿入孔（８）からの抜出方向（Ｘ１）と、パイプ（１）の端部（２）のパイプ挿入孔（８）への挿入方向（Ｘ２）と、パイプ挿入孔（８）の周方向（Ｙ）とに係合している。さらに、パイプ（１）の端部（２）に対してパイプ（１）の端面（２ｘ）側とは反対側の近傍部分（３）がその全周に亘ってエキスパンド加工されている。
【０１２１】
すなわち、パイプ（１）の端部（２）の軸方向中間部（２ｂ）には、エキスパンド加工によってパイプ（１）の外側に局部的に膨出した複数個（本第２実施形態では４個）の抜け止め用第１膨出部（Ｂ１）がパイプ（１）の周方向に等間隔に形成されている。そして、各第１膨出部（Ｂ１）が各係合凹所（１０）内に配置されることにより、各第１膨出部（Ｂ１）が各係合凹所（１０）に上述した３方向（即ち、抜出方向（Ｘ１）、挿入方向（Ｘ２）及び周方向（Ｙ））に係合している。
【０１２２】
また、パイプ（１）の端部（２）の近傍部分（３）には、エキスパンド加工によってパイプ（１）の外側に局部的に膨出した抜け止め用第２膨出部（Ｂ２）がパイプ（１）の全周に亘って形成されている。そして、この第２膨出部（Ｂ２）がフランジ（５）の筒状部（７）の先端にパイプ（１）の端部（２）のパイプ挿入孔（８）への挿入方向（Ｘ２）に係合している。
【０１２３】
このフランジ付パイプ（Ａ２）と他の部材との連結方法は、上記第１実施形態と同じである（図３参照）。
【０１２４】
本第２実施形態の製造装置（３０）においては、図９に示すように、エキスパンド加工用ダイ（２０）の８個のダイセグメントのうち４個のダイセグメント（２１）は、それぞれ、パイプ（１）の端部（２）の軸方向中間部（２ｂ）をパイプ（１）の内側からパイプ（１）の外側へ局部的に押圧することにより、パイプ（１）の端部（２）の軸方向中間部（２ｂ）をパイプ（１）の外側に局部的に膨出させる第１押圧凸部（２２ａ）を一体に有している。この第１押圧凸部（２２ａ）を一体に有するダイセグメント（２１）は、８個のダイセグメント（２１）においてダイ（２０）の周方向に一個おきに配置されている。残りの４個のダイセグメント（２１）はそれぞれ第１押圧凸部（２２ａ）を有していない。
【０１２５】
この製造装置（３０）の他の構成は、上記第１実施形態の製造装置と同じである。
【０１２６】
次に、本第２実施形態の製造装置（３０）を用いてフランジ付パイプ（Ａ２）を製造する方法について、図１０及び図１１を参照して以下に説明する。
【０１２７】
図１０に示すように、上記第１実施形態と同様に、パイプ（１）の端部（２）をフランジ（５）のパイプ挿入孔（８）内に、パイプ挿入口（８ａ）から、パイプ（１）の端面（２ｘ）がパイプ挿入孔（８）の軸方向中間部からフランジ（５）の連結面（５ａ）の位置までの範囲に配置されるように挿入する［パイプ挿入工程］。また、パイプ（１）の端部（２）の中空部（４）内にダイ（２０）を配置する。また、規制部材（２８）をフランジ（５）の筒状部（７）の外側に配置する。
【０１２８】
次いで、マンドレル駆動手段によってマンドレル（２７）の楔部（２７ａ）をダイ（２０）の楔孔部（２３）内に強制的に差し込む。これにより、図１１に示すように、ダイ（２０）の各ダイセグメント（２１）をパイプ（１）の半径方向外向きに移動させて、パイプ（１）の端部（２）及び近傍部分（３）を同時にエキスパンド加工する［エキスパンド加工工程］。
【０１２９】
このエキスパンド加工工程の際に、パイプ（１）の端部（２）の軸方向中間部（２ｂ）は、ダイ（２０）の各ダイセグメント（２１）の第１押圧凸部（２２ａ）によって各係合凹所（１０）内へ膨出するように押圧されることで、局部的に塑性変形される。これにより、この部分（２ｂ）に４個の第１膨出部（Ｂ１）がパイプ（１）の周方向に等間隔に形成されるとともに、各第１膨出部（Ｂ１）が各係合凹所（１０）に、パイプ（１）の端部（２）のパイプ挿入孔（８）からの抜出方向（Ｘ１）と、パイプ（１）の端部（２）のパイプ挿入孔（８）への挿入方向（Ｘ２）と、パイプ挿入孔（８）の周方向（Ｙ）とに係合される。
【０１３０】
さらに、このエキスパンド加工工程の際に、パイプ（１）の端部（２）の近傍部分（３）には、ダイ（２０）の各ダイセグメント（２１）の第２押圧凸部（２２ｂ）によって第２膨出部（Ｂ２）がパイプ（１）の全周に亘って形成されるとともに、この第２膨出部（Ｂ２）がフランジ（５）の筒状部（７）の先端にパイプ（１）の端部（２）のパイプ挿入孔（８）への挿入方向（Ｘ２）に係合される。
【０１３１】
以上の手順により図７及び図８に示したフランジ付パイプ（Ａ２）が製造される。
【０１３２】
本第２実施形態のフランジ付パイプ（Ａ２）の製造方法には次の利点がある。
【０１３３】
エキスパンド加工工程において、パイプ（１）の端部（２）が各係合凹所（１０）にパイプ挿入孔（８）の周方向に係合するようにパイプ（１）の端部（２）をエキスパンド加工することにより、フランジ（５）に対するパイプ（１）の抜け強度の他に、更に、フランジ（５）に対するパイプ（１）の回転方向（Ｙ）の接合強度をも高めることができる。
【０１３４】
さらに、フランジ（５）のパイプ挿入孔（８）の内周面（９）と各係合凹所（１０）の内側面（１０ａ）との間の角部（１１）が角張っているとともに、角部（１１）の断面角度θが９０°に設定されている。そのため、この角部（１１）によりパイプ（１）の抜け止めを図ることができる。すなわち、もしパイプ（１）にフランジ（５）に対して抜出方向（Ｘ１）の荷重が加わった場合には、この角部（１１）がパイプ（１）の第１膨出部（Ｂ１）の外面に確実に引っ掛かり、これによりパイプ（１）の抜け止めが図られる。その結果、フランジ（５）に対するパイプ（１）の抜け強度を更に高めることができる。
【０１３５】
さらに、このフランジ付パイプ（Ａ２）では、フランジ（５）の筒状部（７）の軸方向中間部に、筒状部（７）の厚さ方向に貫通した複数個の貫通孔（７ｃ）がパイプ挿入孔（８）の周方向に間隔をおいて設けられており、各係合凹所（１０）は各貫通孔（７ｃ）から形成されているので、次の利点がある。すなわち、係合凹所（１０）を形成するための貫通孔（７ｃ）を、フランジ（５）の筒状部（７）の軸方向中間部に穿孔パンチにより穿設することにより、パイプ挿入孔（８）の内周面（９）と係合凹所（１０）の内側面（１０ａ）との間の角部（１１）を角張った状態に容易に形成することができるし、この角部（１１）の断面角度θを９０°に容易に設定することができる。
【０１３６】
さらに、パイプ（１）の端部（２）を各係合凹所（１０）に、パイプ（１）の端部（２）のパイプ挿入孔（８）からの抜出方向（Ｘ１）と、パイプ（１）の端部（２）のパイプ挿入孔（８）への挿入方向（Ｘ２）と、パイプ挿入孔（８）の周方向（Ｙ）とに係合させることができる。そのため、フランジ（５）に対するパイプ（１）の抜出方向（Ｘ１）の接合強度（即ちパイプ（１）の抜け強度）と、フランジ（５）に対するパイプ（１）の挿入方向（Ｘ２）の接合強度と、フランジ（５）に対するパイプ（１）の回転方向（Ｙ）の接合強度とを高めることができる。
【０１３７】
なお本発明では、係合凹所（１０）及び貫通孔（７ｃ）の個数は４個であることに限定されるものではなく、様々に変更可能であり、例えば２〜１６個であっても良い。
【０１３８】
＜第３実施形態＞
図１２は、本発明の第３実施形態に係るフランジ付パイプ（Ａ３）の製造方法を説明するための図である。この製造方法について上記第１及び第２実施形態とは異なる点を中心に以下に説明する。
【０１３９】
本第３実施形態では、フランジ（５）の筒状部（７）の軸方向中間部には、筒状部（７）の内側に凹状に且つ筒状部（７）の外側に凸状に屈曲した断面円弧状の複数個の屈曲部（７ｄ）（ビード部）がパイプ挿入孔（８）の周方向に間隔をおいて形成されている。そのため、フランジ（５）のパイプ挿入孔（８）の内周面における、パイプ挿入孔（８）の軸方向中間部に、複数個の屈曲部（７ｄ）の内側凹部からなる複数個の係合凹所（１０）がパイプ挿入孔（８）の周方向に間隔をおいて形成されている。屈曲部（７ｄ）及び係合凹所（１０）の個数は例えば４個である。また、屈曲部（７ｄ）はフランジ（５）の筒状部（７）の軸方向中間部をプレス加工することにより形成されたものである。
【０１４０】
また、フランジ（５）のパイプ挿入孔（８）の内周面（９）と各係合凹所（１０）の内側面（１０ａ）との間の角部（１１）は、係合凹所（１０）の全周に亘って丸く形成されており、即ちこの角部（１１）は断面円弧状に形成されている。さらに、この角部（１１）の断面角度は９０°よりも大きく形成されている。
【０１４１】
そして、このフランジ付パイプ（Ａ３）は、上記第２実施形態のフランジ付パイプ（Ａ２）の製造方法と同様の方法により製造されている。なお、図１２には規制部材は図示されていないが、エキスパンド加工時には規制部材はフランジ（５）の筒状部（７）の外側に配置されるのが望ましい。
【０１４２】
このフランジ付パイプ（Ａ３）では、パイプ（１）の端部（２）の軸方向中間部（２ｂ）には、エキスパンド加工によってパイプ（１）の外側に局部的に膨出した４個の第１膨出部（Ｂ１）がパイプ（１）の周方向に等間隔に形成されている。そして、各第１膨出部（Ｂ１）が各係合凹所（１０）内に配置されることにより、各第１膨出部（Ｂ１）が各係合凹所（１０）に、パイプ（１）の端部（２）のパイプ挿入孔（８）からの抜出方向（Ｘ１）と、パイプ（１）の端部（２）のパイプ挿入孔（８）への挿入方向（Ｘ２）と、パイプ挿入孔（８）の周方向（Ｙ）とに係合している。
【０１４３】
また、パイプ（１）の端部（２）の近傍部分（３）には、エキスパンド加工によってパイプ（１）の外側に局部的に膨出した第２膨出部（Ｂ２）がパイプ（１）の全周に亘って形成されている。そして、この第２膨出部（Ｂ２）がフランジ（５）の筒状部（７）の先端にパイプ（１）の端部（２）のパイプ挿入孔（８）への挿入方向（Ｘ２）に係合している。
【０１４４】
なお上記第３実施形態では、複数個の係合凹所（１０）を形成するための複数個の屈曲部（７ｄ）は、フランジ（５）の筒状部（７）の軸方向中間部にパイプ挿入孔（８）の周方向に間隔をおいて形成されている。しかるに、本発明では、その他に、例えば屈曲部（７ｄ）の個数は１個であって、この屈曲部（７ｄ）がフランジ（５）の筒状部（７）の軸方向中間部にパイプ挿入孔（８）の周方向の全周に亘って形成され、これにより、係合凹所（１０）がパイプ挿入孔（８）の内周面（９）の軸方向中間部にパイプ挿入孔（８）の周方向の全周に亘って形成されていても良い。この場合、パイプ（１）の端部（２）は係合凹所（１０）にパイプ挿入孔（８）の周方向の全周に亘ってパイプ（１）の端部（２）のパイプ挿入孔（８）からの抜出方向（Ｘ１）と、パイプ（１）の端部（２）のパイプ挿入孔（８）への挿入方向（Ｘ２）とに係合するようにエキスパンド加工される。
【０１４５】
＜第４実施形態＞
図１３及びに図１４は、本発明の第４実施形態に係るフランジ付パイプ（Ａ４）の製造方法を説明するための図である。この製造方法について上記第１及び第２実施形態とは異なる点を中心に以下に説明する。
【０１４６】
本第４実施形態では、筒状部（７）付フランジ（５）は、金属板材のプレス加工により形成されたものではなく、その素材としての鍛造材、押出材又はダイカスト材を切削加工することにより製造されたものであるか、あるいはダイカスト法により製造されたものである。
【０１４７】
図１３に示すように、フランジ（５）のパイプ挿入孔（８）の内周面（９）における、パイプ挿入孔（８）の軸方向中間部には、複数個の係合凹所（１０）がパイプ挿入孔（８）の周方向に間隔をおいて設けられている。係合凹所（１０）の個数は例えば４個である。各係合凹所（１０）は例えば切削加工により形成されたものである。
【０１４８】
また、図１４に示すように、フランジ（５）のパイプ挿入孔（８）の内周面（９）と各係合凹所（１０）の内側面（１０ａ）との間の角部（１１）には、いずれも面取り加工が施されていない。そのため、この角部（１１）は角張っている。さらに、この角部（１１）の断面角度θは９０°に設定されている（即ち、θ＝９０°）。
【０１４９】
そして、このフランジ付パイプ（Ａ４）は、上記第２実施形態のフランジ付パイプ（Ａ２）の製造方法と同様の方法により製造されている。なお、図１４には規制部材は図示されていないが、エキスパンド加工時には規制部材はフランジ（５）の筒状部（７）の外側に配置されることが望ましい。
【０１５０】
このフランジ付パイプ（Ａ４）では、パイプ（１）の端部（２）の軸方向中間部（２ｂ）には、エキスパンド加工によってパイプ（１）の外側に局部的に膨出した４個の第１膨出部（Ｂ１）がパイプ（１）の周方向に等間隔に形成されている。そして、各第１膨出部（Ｂ１）が各係合凹所（１０）内に配置されることにより、各第１膨出部（Ｂ１）が各係合凹所（１０）に、パイプ（１）の端部（２）のパイプ挿入孔（８）からの抜出方向（Ｘ１）と、パイプ（１）の端部（２）のパイプ挿入孔（８）への挿入方向（Ｘ２）と、パイプ挿入孔（８）の周方向（Ｙ）とに係合している。
【０１５１】
また、パイプ（１）の端部（２）の近傍部分（３）には、エキスパンド加工によってパイプ（１）の外側に局部的に膨出した第２膨出部（Ｂ２）がパイプ（１）の全周に亘って形成されている。そして、この第２膨出部（Ｂ２）がフランジ（５）の筒状部（７）の先端にパイプ（１）の端部（２）のパイプ挿入孔（８）への挿入方向（Ｘ２）に係合している。
【０１５２】
図１５は、上記第４実施形態のフランジ付パイプ（Ａ４）におけるフランジ（５）の一変形例を示す斜視図である。
【０１５３】
この変形例のフランジ（５）では、パイプ挿入孔（８）の内周面（９）における、パイプ挿入孔（８）の軸方向中間部に１個の係合凹所（１０）がパイプ挿入孔（８）の周方向の全周に亘って設けられている。係合凹所（１０）は例えば切削加工により形成されたものである。
【０１５４】
また、フランジ（５）のパイプ挿入孔（８）の内周面（９）と係合凹所（１０）の内側面（１０ａ）との間の角部（１１）には、いずれも面取り加工が施されていない。そのため、この角部（１１）は角張っている。さらに、この角部（１１）の断面角度は９０°に設定されている。
【０１５５】
このフランジ（５）をパイプ（１）の端部（２）に接合する場合には、上記第１実施形態の製造装置（３０）のダイ（２０）を用いて接合を行っても良いし、上記第２実施形態の製造装置（３０）のダイ（２０）を用いて接合を行っても良い。そして、この接合の際に、パイプ（１）の端部（２）は係合凹所（１０）にパイプ挿入孔（８）の周方向の全周に亘ってパイプ（１）の端部（２）のパイプ挿入孔（８）からの抜出方向（Ｘ１）と、パイプ（１）の端部（２）のパイプ挿入孔（８）への挿入方向（Ｘ２）とに係合するようにエキスパンド加工される。
【０１５６】
＜第５実施形態＞
図１６は、本発明の第５実施形態に係るフランジ付パイプ（Ａ５）の製造方法を説明するための図である。この製造方法について上記第１及び第２実施形態とは異なる点を中心に以下に説明する。
【０１５７】
本第５実施形態では、筒状部（７）付フランジ（５）は、金属板材のプレス加工により形成されたものではなく、その素材としての鍛造材、押出材又はダイカスト材を切削加工することにより製造されたものであるか、あるいはダイカスト法により製造されたものである。
【０１５８】
フランジ（５）のパイプ挿入孔（８）の内周面（９）における、フランジ（５）の連結面（５ａ）側の部分には、パイプ挿入孔（８）の内側とフランジ（５）の連結面（５ａ）側とに向けて開口した状態に複数個の係合凹所（１０）がパイプ挿入孔（８）の周方向に間隔をおいて設けられている。詳述すると、各係合凹所（１０）は、フランジ（５）のパイプ挿入孔（８）の内周面（９）における、パイプ挿入孔（８）の軸方向中間部からフランジ（５）の連結面（５ａ）の位置までの領域に設けられている。係合凹所（１０）の個数は例えば４個である。各係合凹所（１０）は例えば切削加工により形成されたものであるか、あるいは鍛造により又はダイカストにより形成されたものである。
【０１５９】
フランジ（５）のパイプ挿入孔（８）の内周面（９）と各係合凹所（１０）の内側面（１０ａ）との間の角部（１１）には、面取り加工が施されていない。そのため、この角部（１１）は角張っている。さらに、この角部（１１）の断面角度は９０°に設定されている。
【０１６０】
そして、このフランジ付パイプ（Ａ５）は、上記第２実施形態のフランジ付パイプ（Ａ２）の製造方法と同様の方法により製造されている。なお、図１６には規制部材は図示されていないが、エキスパンド加工時には規制部材はフランジ（５）の筒状部（７）の外側に配置されることが望ましい。
【０１６１】
このフランジ付パイプ（Ａ５）では、パイプ（１）の端部（２）の端面部（２ａ）には、エキスパンド加工によってパイプ（１）の外側に局部的に膨出した４個の第１膨出部（Ｂ１）がパイプ（１）の周方向に等間隔に形成されている。そして、各第１膨出部（Ｂ１）が各係合凹所（１０）内に配置されることにより、各第１膨出部（Ｂ１）が各係合凹所（１０）に、パイプ（１）の端部（２）のパイプ挿入孔（８）からの抜出方向（Ｘ１）と、パイプ挿入孔（８）の周方向（Ｙ）とに係合している。
【０１６２】
また、パイプ（１）の端部（２）の近傍部分（３）には、エキスパンド加工によってパイプ（１）の外側に局部的に膨出した第２膨出部（Ｂ２）がパイプ（１）の全周に亘って形成されている。そして、この第２膨出部（Ｂ２）がフランジ（５）の筒状部（７）の先端にパイプ（１）の端部（２）のパイプ挿入孔（８）への挿入方向（Ｘ２）に係合している。
【０１６３】
なお上記第５実施形態では、上述したように、複数個の係合凹所（１０）は、フランジ（５）のパイプ挿入孔（８）の内周面（９）における、フランジ（５）の連結面（５ａ）側の部分に、パイプ挿入孔（８）の周方向に間隔をおいて設けられている。しかるに、本発明では、その他に、例えば、係合凹所（１０）の個数は１個であって、この係合凹所（１０）がフランジ（５）のパイプ挿入孔（８）の内周面（９）における、フランジ（５）の連結面（５ａ）側の部分に、パイプ挿入孔（８）の周方向の全周に亘って形成されていても良い。この場合、パイプ（１）の端部（２）は係合凹所（１０）にパイプ挿入孔（８）の周方向の全周に亘ってパイプ（１）の端部（２）のパイプ挿入孔（８）からの抜出方向（Ｘ１）に係合するようにエキスパンド加工される。
【０１６４】
＜第６実施形態＞
図１７は、本発明の第６実施形態に係るフランジ付パイプ（Ａ６）の製造方法を説明するための図である。この製造方法について上記第１及び第２実施形態とは異なる点を中心に以下に説明する。
【０１６５】
本第６実施形態では、フランジ（５）は筒状部を有していない。また、このフランジ（５）は、その素材としての鍛造材、押出材又はダイカスト材を切削加工することにより製造されたものであるか、あるいはダイカスト法により製造されたものである。
【０１６６】
フランジ（５）のパイプ挿入孔（８）の内周面（９）における、フランジ（５）の連結面（５ａ）側の部分には、パイプ挿入孔（８）の内側とフランジ（５）の連結面（５ａ）側とに向けて開口した状態に複数個の係合凹所（１０）がパイプ挿入孔（８）の周方向に間隔をおいて設けられている。詳述すると、各係合凹所（１０）は、フランジ（５）のパイプ挿入孔（８）の内周面（９）における、パイプ挿入孔（８）の軸方向中間部からフランジ（５）の連結面（５ａ）の位置までの領域に設けられている。係合凹所（１０）の個数は例えば４個である。各係合凹所（１０）は例えば切削加工により形成されたものであるか、あるいは鍛造により又はダイカストにより形成されたものである。
【０１６７】
フランジ（５）のパイプ挿入孔（８）の内周面（９）と各係合凹所（１０）の内側面（１０ａ）との間の角部（１１）には、面取り加工が施されていない。そのため、この角部（１１）は角張っている。さらに、この角部（１１）の断面角度は９０°に設定されている。
【０１６８】
そして、このフランジ付パイプ（Ａ６）は、上記第２実施形態のフランジ付パイプ（Ａ２）の製造方法と同様の方法により製造されている。なお、本第６実施形態では、フランジ（５）は筒状部を有していないので、エキスパンド加工時に規制部材を用いることを要しない。
【０１６９】
このフランジ付パイプ（Ａ６）では、パイプ（１）の端部（２）の端面部（２ａ）には、エキスパンド加工によってパイプ（１）の外側に局部的に膨出した４個の第１膨出部（Ｂ１）がパイプ（１）の周方向に等間隔に形成されている。そして、各第１膨出部（Ｂ１）が各係合凹所（１０）内に配置されることにより、各第１膨出部（Ｂ１）が各係合凹所（１０）に、パイプ（１）の端部（２）のパイプ挿入孔（８）からの抜出方向（Ｘ１）と、パイプ挿入孔（８）の周方向（Ｙ）とに係合している。
【０１７０】
また、パイプ（１）の端部（２）の近傍部分（３）には、エキスパンド加工によってパイプ（１）の外側に局部的に膨出した第２膨出部（Ｂ２）がパイプ（１）の全周に亘って形成されている。そして、この第２膨出部（Ｂ２）がフランジ（５）の筒状部（７）の先端にパイプ（１）の端部（２）のパイプ挿入孔（８）への挿入方向（Ｘ２）に係合している。
【０１７１】
なお上記第６実施形態では、上述したように、複数個の係合凹所（１０）は、フランジ（５）のパイプ挿入孔（８）の内周面（９）における、フランジ（５）の連結面（５ａ）側の部分に、パイプ挿入孔（８）の周方向に間隔をおいて形成されている。しかるに、本発明では、その他に、例えば、係合凹所（１０）の個数は１個であって、この係合凹所（１０）がフランジ（５）のパイプ挿入孔（８）の内周面（９）における、フランジ（５）の連結面（５ａ）側の部分に、パイプ挿入孔（８）の周方向の全周に亘って形成されていても良い。この場合、パイプ（１）の端部（２）は係合凹所（１０）にパイプ挿入孔（８）の周方向の全周に亘ってパイプ（１）の端部（２）のパイプ挿入孔（８）からの抜出方向（Ｘ１）に係合するようにエキスパンド加工される。
【０１７２】
以上で、本発明の幾つかの実施形態を説明したが、本発明は上記実施形態に示したものであることに限定されるものではなく、様々に変更可能である。
【０１７３】
例えば、上記実施形態では、ダイ（２０）の分割数は８個であるが、本発明ではダイ（２０）の分割数は８個であることに限定されるものではなく、様々に変更可能であり、例えば、３〜１０個であっても良いし、また偶数個であっても良いし、奇数個であっても良い。
【０１７４】
また本発明では、パイプ（１）の端部（２）に２個以上の抜け止め用膨出部（Ｂ１）がパイプ軸方向に間隔をおいて並んで形成されるように、パイプ（１）の端部（２）をエキスパンド加工しても良い。
【０１７５】
また本発明では、パイプ（１）の断面形状は円形状であることに限定されるものではなく、その他に、例えば多角形状（四角形状、六角形状等）であっても良い。
【０１７６】
また本発明では、パイプ（１）の中空部（４）内にパイプ（１）の軸方向に延びた仕切り壁部（図示せず）が配置されていても良い。
【０１７７】
また上記実施形態では、マンドレル（２７）の楔部（２７ａ）をマンドレル駆動手段によってマンドレル（２７）の軸方向に押圧移動させることにより、マンドレル（２７）の楔部（２７ａ）がダイ（２０）の楔孔部（２３）内に差し込まれている。しかるに、本発明では、マンドレル（２７）の楔部（２７ａ）をダイ（２０）の楔孔部（２３）内に差し込む方法は、上述の方法であることに限定されるものではなく、その他に、例えば、マンドレル（２７）の楔部（２７ａ）をマンドレル駆動手段によってマンドレル（２７）の軸方向に牽引移動させることにより、マンドレル（２７）の楔部（２７ａ）がダイ（２０）の楔孔部（２３）内に差し込まれるものとなされていても良い。
【０１７８】
また本発明では、フランジ付パイプの製造方法及び製造装置は、上記第１〜第６実施形態に適用された技術的思想のうち２つ以上を組み合わせて構成したものであっても良い。
【産業上の利用可能性】
【０１７９】
本発明は、例えば、自動車のステアリングサポートビーム、ステアリングコラムホルダ、マフラ、フレーム、プロペラシャフト、サスペンションアーム、その他の自動車の部品に用いられ、あるいは、自動車以外の部品として例えば配管材に用いられるフランジ付パイプの製造方法、該製造方法に用いられるフランジ付パイプの製造装置、及びフランジ付パイプに利用可能である。
【図面の簡単な説明】
【０１８０】
【図１】図１は、本発明の第１実施形態に係るフランジ付パイプの斜視図である。
【図２】図２は、同フランジ付パイプの他の方向から見た斜視図である。
【図３】図３は、同フランジ付パイプを他の部材に連結した状態の断面図である。
【図４】図４は、第１実施形態に係るフランジ付パイプの製造装置のエキスパンド加工用ダイ及びマンドレルの斜視図である。
【図５】図５は、第１実施形態においてパイプの端部をエキスパンド加工する前の状態の断面図である。
【図６】図６は、第１実施形態においてパイプの端部をエキスパンド加工した後の状態の断面図である。
【図７】図７は、本発明の第２実施形態に係るフランジ付パイプの斜視図である。
【図８】図８は、同フランジ付パイプの断面図である。
【図９】図９は、第２実施形態に係るフランジ付パイプの製造装置のエキスパンド加工用ダイ及びマンドレルの斜視図である。
【図１０】図１０は、第２実施形態においてパイプの端部をエキスパンド加工する前の状態の断面図である。
【図１１】図１１は、第２実施形態においてパイプの端部をエキスパンド加工した後の状態の断面図である。
【図１２】図１２は、本発明の第３実施形態に係るフランジ付パイプの製造方法によりパイプの端部をエキスパンド加工した後の状態の半断面図である。
【図１３】図１３は、本発明の第４実施形態に係るフランジ付パイプにおけるフランジの斜視図である。
【図１４】図１４は、第４実施形態においてパイプの端部をエキスパンド加工した後の状態の断面図である。
【図１５】図１５は、第４実施形態に係るフランジ付パイプにおけるフランジの一変形例を示す斜視図である。
【図１６】図１６は、本発明の第５実施形態に係るフランジ付パイプの製造方法によりパイプの端部をエキスパンド加工した後の状態の半断面図である。
【図１７】図１７は、本発明の第６実施形態に係るフランジ付パイプの製造方法によりパイプの端部をエキスパンド加工した後の状態の半断面図である。
【図１８】図１８は、従来のフランジ付パイプの製造方法によりパイプの端部をエキスパンド加工した後の状態の断面図である。
【図１９】図１９は、従来のフランジ付パイプの製造方法により製造されたフランジ付パイプのフランジを他の部材に連結する途中の状態の断面図である。
【符号の説明】
【０１８１】
Ａ１〜Ａ６：フランジ付パイプ
１：パイプ
２：パイプの端部
２ａ：パイプの端部の端面側の部分
２ｂ：パイプの端部の軸方向中間部
３：パイプの端部の近傍部分
５：フランジ
５ａ：連結面
７：筒状部
７ｃ：貫通孔
８：パイプ挿入孔
９：パイプ挿入孔の内周面
１０：係合凹所
１０ａ：係合凹所の内側面
１１：角部
２０：エキスパンド加工用ダイ
２１：ダイセグメント
２２ａ：第１押圧凸部
２２ｂ：第２押圧凸部
２３：楔孔部
２７：マンドレル
２７ａ：楔部
２８：規制部材
３０：フランジ付パイプの製造装置
５０：他の部材
Ｂ１、Ｂ２：抜け止め用膨出部
Ｘ１：パイプの端部のパイプ挿入孔からの抜出方向
Ｘ２：パイプの端部のパイプ挿入孔への挿入方向
Ｙ：パイプ挿入孔の周方向
【図１】
0005373277.tif 000002
【図２】
0005373277.tif 000003
【図３】
0005373277.tif 000004
【図４】
0005373277.tif 000005
【図５】
0005373277.tif 000006
【図６】
0005373277.tif 000007
【図７】
0005373277.tif 000008
【図８】
0005373277.tif 000009
【図９】
0005373277.tif 000010
【図１０】
0005373277.tif 000011
【図１１】
0005373277.tif 000012
【図１２】
0005373277.tif 000013
【図１３】
0005373277.tif 000014
【図１４】
0005373277.tif 000015
【図１５】
0005373277.tif 000016
【図１６】
0005373277.tif 000017
【図１７】
0005373277.tif 000018
【図１８】
0005373277.tif 000019
【図１９】
0005373277.tif 000020